(57)【要約】【課題】本発明は水晶燭台を開示した。【解決手段】スタンドとスタンドの上側に設けられた水晶燭台とを含み、前記水晶燭台は水晶で作られており、前記水晶燭台の上端には蝋燭固定ロッドが固定的に設けられ、前記蝋燭固定ロッドには蝋燭が取り付けられ、本発明の燭台部分が水晶により作られ、美観性を大きく向上し、同時に本発明は防風効果を持ち、蝋燭が風に吹き消されることを防止し、同時に、本発明の防風カバーが蝋燭の燃えた長さにより自動的に調節でき、蝋燭が倒れた時に、自動的に燃えチャンバを密封でき、火災の発生を防止する。【選択図】図１
2020181798.tif 000002
【特許請求の範囲】
【請求項１】
正面視で、スタンドとスタンドの上側に設けられた水晶燭台とを含み、前記水晶燭台は水晶で作られており、前記水晶燭台の上端には蝋燭固定ロッドが固定的に設けられ、前記蝋燭固定ロッドには蝋燭が取り付けられ、前記スタンドの上端面には支持枠が固定的に設けられ、前記支持枠の片側端面にはスライド溝が設けられ、前記スライド溝の前後内壁には棒状ダンパーが固定的に設けられ、前記棒状ダンパーの間にはスライドロッドがスライドできるように設けられ、前記スライドロッドの左端には中間ロッドが連結され、前記中間ロッドの左側には固定板が固定的に連結され、前記固定板の下端面には固定ロッドが左右に対称的に連結され、前記固定ロッドの下端には防風水晶カバーが固定的に設けられ、前記防風水晶カバーの材質が透明水晶であり、前記防風水晶カバーの中には燃えチャンバが設けられ、前記燃えチャンバの内壁には上下に貫通している貫通孔が設けられ、前記蝋燭の上端が前記燃えチャンバの中に伸びており、前記蝋燭が燃える時に、前記防風水晶カバーの作用により防風作用を果たし、前記支持枠と前記防風水晶カバーの中には温度検知機構が設けられ、前記温度検知機構はスライド板と、挿入溝と、歯車形削りとを含み、前記支持枠の中には空きチャンバが設けられ、前記空きチャンバの中には前記スライド板がスライドできるように設けられ、前記スライド板の左端面には左方に開口した複数個の前記挿入溝が設けられ、前記スライドロッドの右端が前記スライド板の中まで伸びており、前記歯車形削りが前記スライドロッドの右端に固定的に連結され、前記歯車形削りが前記挿入溝の中に挿入され、蝋燭が一定の長さを燃やした後に、炎の高度が下がり、前記温度検知機構が前記スライド板を右に移動連動させて前記挿入溝と前記歯車形削りから離脱させ、前記防風水晶カバーが重力と前記棒状ダンパーの作用によりゆっくりと降下し、前記温度検知機構が指定の温度に達することを検知した後、前記スライド板が左に移動し前記歯車形削りを前記挿入溝の中に挿し、前記防風水晶カバーの位置を固定し、これにより前記防風水晶カバーと前記蝋燭との間の距離を固定し、防風効果を果たすことを特徴とする水晶燭台。
【請求項２】
前記温度検知機構は前記防風水晶カバーの中に設置されたエアチャンバを含み、前記エアチャンバの内壁の中には外部に連通している第一抜き穴が設けられ、前記支持枠の中にはシリンダーが設けられ、前記シリンダーの中にはピストンチャンバが設けられ、前記ピストンチャンバの内壁の中には外部に連通している第二抜き穴が設けられ、前記第二抜き穴と前記第一抜き穴との間にはホースにより連通しており、前記ピストンチャンバの中にはピストンがスライドできるように設けられ、前記ピストンと前記ピストンチャンバの内壁との間にはバネが連結され、前記ピストンの左端には前記空きチャンバの中まで伸びている伝動ロッドが固定的に設けられ、前記伝動ロッドの左端と前記空きチャンバの右端面とが固定的に連結され、前記蝋燭の高さが下がる時、前記エアチャンバの中の空気温度が下がり、圧力が下がり、前記ピストンが前記バネの作用により右に運動し、これにより前記伝動ロッドにより前記スライド板を右に運動連動させることを特徴とする請求項１に記載の水晶燭台。
【請求項３】
前記貫通孔の内壁の中には相対する側に開口した仕切り板チャンバが左右に対称的に設けられ、前記仕切り板チャンバの中には仕切り板がスライドできるように設けられ、前記仕切り板チャンバの内壁の中にはバネ溝が設けられ、前記バネ溝の中には伝動ブロックがスライドできるように設けられ、前記伝動ブロックと前記バネ溝の内壁との間には復帰バネが連結され、前記仕切り板チャンバがリールチャンバにより連通しており、前記リールチャンバの後壁にはモーターが固定的に設けられ、前記モーターの前端面には動力軸が伝動できるように連結され、前記動力軸の前端にはリールが固定的に設けられ、前記リールには引き糸が周設され、前記引き糸の一端と前記仕切り板の互いに離れている一端とが固定的に連結され、前記蝋燭を消す時または前記スタンドが倒れた時に、前記モーターが始動され前記リールを回転させて糸を放し、前記仕切り板が前記復帰バネの作用により互いに近づき前記蝋燭をきつく挟んで前記燃えチャンバを密封し、前記燃えチャンバの中の酸素が燃え尽くした後に、前記蝋燭が消されたことを特徴とする請求項１に記載の水晶燭台。
【請求項４】
前記スタンドの中には上方に開口した収納チャンバが設けられ、前記ねじロッドの中には取付板がスライドできるように設けられ、前記取付板と前記収納チャンバの底壁との間には押圧バネが連結され、前記取付板の上端面には上方に開口したねじ山孔が設けられ、前記水晶燭台の下端面にはねじロッドが固定的に設けられ、前記ねじロッドが前記ねじ山孔の中にねじ山により係合され、前記蝋燭を取り替える時、前記水晶燭台を下に押し、前記蝋燭を前記蝋燭固定ロッドに挿すことを特徴とする請求項１に記載の水晶燭台。
【発明の詳細な説明】
【技術分野】
【０００１】
本発明は水晶製品分野を取り上げて、具体的には水晶燭台である。
【背景技術】
【０００２】
伝統的な燭台は一般的に金属で作られており、人々の審美的な要求に満たすことができなく、また伝統的な燭台が使用中に防風することができなく、蝋燭が風により消されやすく、また燭台が倒れた時、燃えている蝋燭が他の物を燃やし火災を招きやすく、上記の問題を解決するために、本装置を提出する。
【先行技術文献】
【特許文献】
【０００３】
【特許文献１】中国特許出願公開第１０６３６９５６８号明細書
【発明の概要】
【発明が解決しようとする課題】
【０００４】
本発明の目的は水晶燭台を提供し、それは上記の現在の技術中の問題を解決できる。
【課題を解決するための手段】
【０００５】
本発明装置の水晶燭台は、スタンドとスタンドの上側に設けられた水晶燭台とを含み、前記水晶燭台は水晶で作られており、前記水晶燭台の上端には蝋燭固定ロッドが固定的に設けられ、前記蝋燭固定ロッドには蝋燭が取り付けられ、前記スタンドの上端面には支持枠が固定的に設けられ、前記支持枠の片側端面にはスライド溝が設けられ、前記スライド溝の前後内壁には棒状ダンパーが固定的に設けられ、前記棒状ダンパーの間にはスライドロッドがスライドできるように設けられ、前記スライドロッドの左端には中間ロッドが連結され、前記中間ロッドの左側には固定板が固定的に連結され、前記固定板の下端面には固定ロッドが左右に対称的に連結され、前記固定ロッドの下端には防風水晶カバーが固定的に設けられ、前記防風水晶カバーの材質が透明水晶であり、前記防風水晶カバーの中には燃えチャンバが設けられ、前記燃えチャンバの内壁には上下に貫通している貫通孔が設けられ、前記蝋燭の上端が前記燃えチャンバの中に伸びており、前記蝋燭が燃える時に、前記防風水晶カバーの作用により防風作用を果たし、前記支持枠と前記防風水晶カバーの中には温度検知機構が設けられ、前記温度検知機構はスライド板と、挿入溝と、歯車形削りとを含み、前記支持枠の中には空きチャンバが設けられ、前記空きチャンバの中には前記スライド板がスライドできるように設けられ、前記スライド板の左端面には左方に開口した複数個の前記挿入溝が設けられ、前記スライドロッドの右端が前記スライド板の中まで伸びており、前記歯車形削りが前記スライドロッドの右端に固定的に連結され、前記歯車形削りが前記挿入溝の中に挿入され、蝋燭が一定の長さを燃やした後に、炎の高度が下がり、前記温度検知機構が前記スライド板を右に移動連動させて前記挿入溝と前記歯車形削りから離脱させ、前記防風水晶カバーが重力と前記棒状ダンパーの作用によりゆっくりと降下し、前記温度検知機構が指定の温度に達することを検知した後、前記スライド板が左に移動し前記歯車形削りを前記挿入溝の中に挿し、前記防風水晶カバーの位置を固定し、これにより前記防風水晶カバーと前記蝋燭との間の距離を固定し、防風効果を果たす。
【０００６】
優選の技術プランとして、前記温度検知機構は前記防風水晶カバーの中に設置されたエアチャンバを含み、前記エアチャンバの内壁の中には外部に連通している第一抜き穴が設けられ、前記支持枠の中にはシリンダーが設けられ、前記シリンダーの中にはピストンチャンバが設けられ、前記ピストンチャンバの内壁の中には外部に連通している第二抜き穴が設けられ、前記第二抜き穴と前記第一抜き穴との間にはホースにより連通しており、前記ピストンチャンバの中にはピストンがスライドできるように設けられ、前記ピストンと前記ピストンチャンバの内壁との間にはバネが連結され、前記ピストンの左端には前記空きチャンバの中まで伸びている伝動ロッドが固定的に設けられ、前記伝動ロッドの左端と前記空きチャンバの右端面とが固定的に連結され、前記蝋燭の高さが下がる時、前記エアチャンバの中の空気温度が下がり、圧力が下がり、前記ピストンが前記バネの作用により右に運動し、これにより前記伝動ロッドにより前記スライド板を右に運動連動させる。
【０００７】
優選の技術プランとして、前記貫通孔の内壁の中には相対する側に開口した仕切り板チャンバが左右に対称的に設けられ、前記仕切り板チャンバの中には仕切り板がスライドできるように設けられ、前記仕切り板チャンバの内壁の中にはバネ溝が設けられ、前記バネ溝の中には伝動ブロックがスライドできるように設けられ、前記伝動ブロックと前記バネ溝の内壁との間には復帰バネが連結され、前記仕切り板チャンバがリールチャンバにより連通しており、前記リールチャンバの後壁にはモーターが固定的に設けられ、前記モーターの前端面には動力軸が伝動できるように連結され、前記動力軸の前端にはリールが固定的に設けられ、前記リールには引き糸が周設され、前記引き糸の一端と前記仕切り板の互いに離れている一端とが固定的に連結され、前記蝋燭を消す時または前記スタンドが倒れた時に、前記モーターが始動され前記リールを回転させて糸を放し、前記仕切り板が前記復帰バネの作用により互いに近づき前記蝋燭をきつく挟んで前記燃えチャンバを密封し、前記燃えチャンバの中の酸素が燃え尽くした後に、前記蝋燭が消された。
【０００８】
優選の技術プランとして、前記スタンドの中には上方に開口した収納チャンバが設けられ、前記ねじロッドの中には取付板がスライドできるように設けられ、前記取付板と前記収納チャンバの底壁との間には押圧バネが連結され、前記取付板の上端面には上方に開口したねじ山孔が設けられ、前記水晶燭台の下端面にはねじロッドが固定的に設けられ、前記ねじロッドが前記ねじ山孔の中にねじ山により係合され、前記蝋燭を取り替える時、前記水晶燭台を下に押し、前記蝋燭を前記蝋燭固定ロッドに挿す。
【発明の効果】
【０００９】
本発明の燭台部分が水晶により作られ、美観性を大きく向上し、同時に本発明は防風効果を持ち、蝋燭が風に吹き消されることを防止し、同時に、本発明の防風カバーが蝋燭の燃えた長さにより自動的に調節でき、蝋燭が倒れた時に、自動的に燃えチャンバを密封でき、火災の発生を防止する。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の水晶燭台の全体構成略図
【図２】図２は図１のＡ―Ａの構成略図
【図３】図３は図１のＢ―Ｂの構成略図
【図４】図４は図１のＣの構成略図
【発明を実施するための形態】
【００１２】
以下、付図説明及び実施例を合わせて本発明をさらなる一歩の説明をし、本発明の方式は以下の実施例を含むが、以下の実施例に限られていないである。
【００１３】
図１〜４に示したように、本発明装置の水晶燭台は、スタンド１０とスタンド１０の上側に設けられた水晶燭台３３とを含み、前記水晶燭台３３は水晶で作られており、前記水晶燭台３３の上端には蝋燭固定ロッド３２が固定的に設けられ、前記蝋燭固定ロッド３２には蝋燭３１が取り付けられ、前記スタンド１０の上端面には支持枠１１が固定的に設けられ、前記支持枠１１の片側端面にはスライド溝２２が設けられ、前記スライド溝２２の前後内壁には棒状ダンパー３９が固定的に設けられ、前記棒状ダンパー３９の間にはスライドロッド２３がスライドできるように設けられ、前記スライドロッド２３の左端には中間ロッド２７が連結され、前記中間ロッド２７の左側には固定板２８が固定的に連結され、前記固定板２８の下端面には固定ロッド２９が左右に対称的に連結され、前記固定ロッド２９の下端には防風水晶カバー３０が固定的に設けられ、前記防風水晶カバー３０の材質が透明水晶であり、前記防風水晶カバー３０の中には燃えチャンバ４１が設けられ、前記燃えチャンバ４１の内壁には上下に貫通している貫通孔４０が設けられ、前記蝋燭３１の上端が前記燃えチャンバ４１の中に伸びており、前記蝋燭３１が燃える時に、前記防風水晶カバー３０の作用により防風作用を果たし、前記支持枠１１と前記防風水晶カバー３０の中には温度検知機構１００が設けられ、前記温度検知機構１００はスライド板２０と、挿入溝１２と、歯車形削り１９とを含み、前記支持枠１１の中には空きチャンバ２１が設けられ、前記空きチャンバ２１の中には前記スライド板２０がスライドできるように設けられ、前記スライド板２０の左端面には左方に開口した複数個の前記挿入溝１２が設けられ、前記スライドロッド２３の右端が前記スライド板２０の中まで伸びており、前記歯車形削り１９が前記スライドロッド２３の右端に固定的に連結され、前記歯車形削り１９が前記挿入溝１２の中に挿入され、蝋燭３１が一定の長さを燃やした後に、炎の高度が下がり、前記温度検知機構１００が前記スライド板２０を右に移動連動させて前記挿入溝１２と前記歯車形削り１９から離脱させ、前記防風水晶カバー３０が重力と前記棒状ダンパー３９の作用によりゆっくりと降下し、前記温度検知機構１００が指定の温度に達することを検知した後、前記スライド板２０が左に移動し前記歯車形削り１９を前記挿入溝１２の中に挿し、前記防風水晶カバー３０の位置を固定し、これにより前記防風水晶カバー３０と前記蝋燭３１との間の距離を固定し、防風効果を果たす。
【００１４】
有益的には、前記温度検知機構１００は前記防風水晶カバー３０の中に設置されたエアチャンバ２６を含み、前記エアチャンバ２６の内壁の中には外部に連通している第一抜き穴２５が設けられ、前記支持枠１１の中にはシリンダー１８が設けられ、前記シリンダー１８の中にはピストンチャンバ１６が設けられ、前記ピストンチャンバ１６の内壁の中には外部に連通している第二抜き穴１７が設けられ、前記第二抜き穴１７と前記第一抜き穴２５との間にはホース２４により連通しており、前記ピストンチャンバ１６の中にはピストン１４がスライドできるように設けられ、前記ピストン１４と前記ピストンチャンバ１６の内壁との間にはバネ１５が連結され、前記ピストン１４の左端には前記空きチャンバ２１の中まで伸びている伝動ロッド１３が固定的に設けられ、前記伝動ロッド１３の左端と前記空きチャンバ２１の右端面とが固定的に連結され、前記蝋燭３１の高さが下がる時、前記エアチャンバ２６の中の空気温度が下がり、圧力が下がり、前記ピストン１４が前記バネ１５の作用により右に運動し、これにより前記伝動ロッド１３により前記スライド板２０を右に運動連動させる。
【００１５】
有益的には、前記貫通孔４０の内壁の中には相対する側に開口した仕切り板チャンバ４７が左右に対称的に設けられ、前記仕切り板チャンバ４７の中には仕切り板４８がスライドできるように設けられ、前記仕切り板チャンバ４７の内壁の中にはバネ溝４９が設けられ、前記バネ溝４９の中には伝動ブロック５１がスライドできるように設けられ、前記伝動ブロック５１と前記バネ溝４９の内壁との間には復帰バネ５０が連結され、前記仕切り板チャンバ４７がリールチャンバ４６により連通しており、前記リールチャンバ４６の後壁にはモーター４３が固定的に設けられ、前記モーター４３の前端面には動力軸４４が伝動できるように連結され、前記動力軸４４の前端にはリール４２が固定的に設けられ、前記リール４２には引き糸４５が周設され、前記引き糸４５の一端と前記仕切り板４８の互いに離れている一端とが固定的に連結され、前記蝋燭３１を消す時または前記スタンド１０が倒れた時に、前記モーター４３が始動され前記リール４２を回転させて糸を放し、前記仕切り板４８が前記復帰バネ５０の作用により互いに近づき前記蝋燭３１をきつく挟んで前記燃えチャンバ４１を密封し、前記燃えチャンバ４１の中の酸素が燃え尽くした後に、前記蝋燭３１が消された。
【００１６】
有益的には、前記スタンド１０の中には上方に開口した収納チャンバ３７が設けられ、前記ねじロッド３４の中には取付板３６がスライドできるように設けられ、前記取付板３６と前記収納チャンバ３７の底壁との間には押圧バネ３８が連結され、前記取付板３６の上端面には上方に開口したねじ山孔３５が設けられ、前記水晶燭台３３の下端面にはねじロッド３４が固定的に設けられ、前記ねじロッド３４が前記ねじ山孔３５の中にねじ山により係合され、前記蝋燭３１を取り替える時、前記水晶燭台３３を下に押し、前記蝋燭３１を前記蝋燭固定ロッド３２に挿す。
【００１７】
前記水晶燭台の実現方法は以下のステップを含む：
【００１８】
前記水晶燭台３３を下に押し、燃えている前記蝋燭３１を蝋燭固定ロッド３２に挿し、前記防風水晶カバー３０の作用により防風効果を果たし、前記蝋燭３１の高さが下がる時に、前記エアチャンバ２６の中の空気温度と圧力とが下がり、前記ピストン１４が前記バネ１５の作用により右に運動し、前記伝動ロッド１３により前記スライド板２０を右に運動連動させ、前記挿入溝１２と前記歯車形削り１９とが離脱し、前記防風水晶カバー３０が重力と前記棒状ダンパー３９の作用によりゆっくりと降下し、前記蝋燭３１が指定された距離に達した後、前記エアチャンバ２６の中の気圧が回復し、前記スライド板２０が左に運動し前記歯車形削り１９を前記挿入溝１２の中に挿し、前記防風水晶カバー３０の位置を固定し、これにより前記防風水晶カバー３０と前記蝋燭３１との間の距離を固定し、防風効果を果たす。
【００１９】
前記蝋燭３１を消す時または前記スタンド１０が倒れた時に、前記モーター４３が始動され前記リール４２を回転させて糸を放し、前記仕切り板４８が前記復帰バネ５０の作用により互いに近づき前記蝋燭３１をきつく挟んで前記燃えチャンバ４１を密封し、前記燃えチャンバ４１の中の酸素が燃え尽くした後に、前記蝋燭３１が消された。
【００２０】
前記水晶燭台３３の中の融けた蝋をクリーニングする時、前記水晶燭台３３を回転させて外し、クリーニングを行う。
【００２１】
以上に述べたように、本発明の燭台部分が水晶により作られ、美観性を大きく向上し、同時に本発明は防風効果を持ち、蝋燭が風に吹き消されることを防止し、同時に、本発明の防風カバーが蝋燭の燃えた長さにより自動的に調節でき、蝋燭が倒れた時に、自動的に燃えチャンバを密封でき、火災の発生を防止する。
【００２２】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020181798.tif 000003
【図２】
2020181798.tif 000004
【図３】
2020181798.tif 000005
【図４】
2020181798.tif 000006